(57)【要約】 【課題】  宅配業者等の運送事業を活用して循環資源を効率よく回収できるようにすることによって、ガソリン消費量の削減と古紙等のリサイクル材の有効利用を一挙に達成できるようにした循環資源活用システムを提供する。【解決手段】  使用済みアルミ缶等の循環資源を計量する計量装置６と、循環資源の計量値に基づき循環資源を新しいアルミ缶等の原料として再利用する際に必要な環境負荷量を求める環境負荷軽減量演算手段３を備えた。前記循環資源は、スチール缶、古紙、ペットボトル、廃プラスチック、発泡スチロール、及びバイオマス材等である。  前記古紙は、新聞、雑誌、ダンボールである。前記バイオマス材は、木材、雑草、農林水産業生産物、及びそれらの未利用資源、未利用残渣である。【選択図】  図１
2009211383.tif 000002
【特許請求の範囲】
【請求項１】
使用済みアルミ缶等の循環資源を計量する計量装置と、循環資源の計量値に基づき循環資源を新しいアルミ缶等の原料として再利用する際に必要な環境負荷量を求める環境負荷軽減量演算手段を備えたことを特徴とする循環資源活用システム。
【請求項２】
前記循環資源は、スチール缶、古紙、ペットボトル、廃プラスチック、発泡スチロール、及びバイオマス材から選択される一種以上であることを特徴とする請求項１に記載の循環資源活用システム。
【請求項３】
前記古紙は、新聞、雑誌、ダンボールから選択される一種以上であることを特徴とする請求項２に記載の循環資源活用システム。
【請求項４】
前記バイオマス材は、木材、雑草、農林水産業生産物、及びそれらの未利用資源、未利用残渣から選択される一種以上であることを特徴とする請求項２に記載の循環資源活用システム。
【請求項５】
利用者情報、及び前記環境負荷の軽減量を少なくとも記憶する記憶手段を備え、利用者情報、及び各利用者が寄与した環境負荷量の軽減量を各利用者毎に一元的に集中管理する管理装置を有することを特徴とする請求項１乃至請求項４の何れか１項に記載の循環資源活用システム。
【請求項６】
各利用者が寄与した各利用者毎の環境負荷の軽減量は、電気通信回線を介して各利用者が所有する磁気カード、ＩＣカード等に送信されて記憶されることを特徴とする請求項１乃至請求項５の何れか１項に記載の循環資源活用システム。
【請求項７】
使用済みアルミ缶等の循環資源の計量値は、電気通信回線を介して各利用者が所有する磁気カード、ＩＣカード等に送信されて記憶されることを特徴とする請求項１乃至請求項５の何れか１項に記載の循環資源活用システム。
【発明の詳細な説明】
【技術分野】
【０００１】
本発明は、循環資源活用システムに関するものである。
【背景技術】
【０００２】
京都議定書の要請でもあるが、近年、地球温暖化を防止する観点からＣＯ２等のような環境負荷を軽減する対策が急務になっている。
【発明の開示】
【発明が解決しようとする課題】
【０００３】
従来から特許文献１に記載されているように、環境に関する発明は多数、特許出願されてはいるが、ＣＯ２等のような環境負荷を軽減する対策が不十分であった。
【０００４】
【特許文献１】特開２００７−０７５７７３号公報
【０００５】
本発明は、前記従来技術の課題を解決するためになされたもので、その目的は、ＣＯ２等の環境負荷を認識できるようにすることによって、環境負荷の軽減を奨励できるようにした循環資源活用システムを提供することにある。
【課題を解決するための手段】
【０００６】
請求項１に記載の発明は、使用済みアルミ缶等の循環資源を計量する計量装置と、循環資源の計量値に基づき循環資源を新しいアルミ缶等の原料として再利用する際に必要な環境負荷量を求める環境負荷軽減量演算手段を備えたことを特徴とするものである。
【０００７】
請求項２に記載の発明は、請求項１に記載の循環資源活用システムにおいて、前記循環資源は、スチール缶、古紙、ペットボトル、廃プラスチック、発泡スチロール、及びバイオマス材から選択される一種以上であることを特徴とするものである。
【０００８】
請求項３に記載の発明は、請求項１に記載の循環資源活用システムにおいて、
前記古紙は、新聞、雑誌、ダンボールから選択される一種以上であることを特徴とするものである。
【０００９】
請求項４に記載の発明は、請求項１乃至請求項３の何れか１項に記載の循環資源活用システムにおいて、前記バイオマス材は、木材、雑草、農林水産業生産物、及びそれらの未利用資源、未利用残渣から選択される一種以上であることを特徴とするものである。
【００１０】
請求項５に記載の発明は、請求項１乃至請求項４の何れか１項に記載の循環資源活用システムにおいて、前記循環資源は、アルミ缶、スチール缶、ペットボトル、廃プラスチック、発泡スチロールから選択される一種以上であることを特徴とするものである。
【００１１】
請求項６に記載の発明は、請求項１乃至請求項５の何れか１項に記載の循環資源活用システムにおいて、利用者情報、及び前記環境負荷の軽減量を少なくても記憶する記憶手段を備え、利用者情報、及び各利用者が寄与した環境負荷量の軽減量を各利用者毎に一元的に集中管理する管理装置を有することを特徴とするものである。
【００１２】
請求項７に記載の発明は、請求項１乃至請求項５の何れか１項に記載の循環資源活用システムにおいて、各利用者が寄与した各利用者毎の環境負荷の軽減量は、電気通信回線を介して各利用者が所有する磁気カード、ＩＣカード等に送信されて記憶されることを特徴とするものである。
【発明の効果】
【００１３】
請求項１に記載の発明によれば、環境負荷の軽減量を知ることによって、資源の循環を行うことによる環境への影響を認識することができる。
【００１４】
請求項２に記載の発明によれば、スチール缶、古紙、ペットボトル、廃プラスチック発泡スチロール、及びバイオマス材をリサイクルすることによる環境への影響を認識することができる。
【００１５】
請求項３に記載の発明によれば、新聞、雑誌、ダンボールをリサイクルすることによる環境への影響を認識することができる。
【００１６】
請求項４に記載の発明によれば、循環資源としてバイオマス材を用いることができる。
【００１７】
請求項５に記載の発明によれば、各利用者が寄与した環境負荷の軽減量を各利用者毎に一元的に集中して管理することができる。
【００１８】
請求項６に記載の発明によれば、各利用者が寄与した環境負荷の軽減量は、各利用者が所有する磁気カード、ＩＣカードに記憶される。
【００１９】
請求項７に記載の発明によれば、使用済みアルミ缶等の循環資源の計量値は、各利用者が所有する磁気カード、ＩＣカードに記憶される。
【発明を実施するための最良の形態】
【００２０】
図１は、本発明に係る循環資源活用システムの第１実施形態の全体を示す。本発明に係る循環資源活用システム１は、循環資源回収装置２とサーバ３がインターネット４を介して接続された構成である。
【００２１】
循環資源回収装置２、及びサーバ３は、ルータ５を介してインターネット４に接続されている。本発明に係る循環資源活用システム１は、使用済みアルミ缶、スチール缶、古紙、ペットボトル、廃プラスチック、発泡スチロール、及びバイオマス材等のような循環可能な素材を対象として、その適正な循環を図るものである。
【００２２】
前記サーバ３は、循環資源活用システム１の全体を一元的に集中して管理するものであって、例えば、企業、又は公的な集中管理機構Ｓに設けられている。
【００２３】
前記循環資源回収装置２は、循環資源回収箱６と循環資源回収制御装置７を備えている。循環資源回収箱６は、筐体の上側が循環資源投入スペース８となり、筐体の下側には、循環資源投入スペース８に投入された循環資源Ｒを計量する計量装置９が設けられている。
【００２４】
前記循環資源投入スペース８には循環資源投入口８Ａが設けられて循環資源Ｒを投入できるようになっている。又、前記循環資源回収制御装置７は、上側がモニタ部１０になり、下側がコントローラ部１１になっている。コントローラ部１１には、磁気カードやＩＣカード等の利用者カードＫを挿入するためのカード挿入口１２が設けられている。又、コントローラ部１１には、マイクロコンピュータ等のコンピュータが内蔵されている。
【００２５】
前記コンピュータは、所定のプログラムソフトが内蔵されることによって、以下の処理を実行するものである。
・  カード挿入口１２から投入された利用者カードＫから利用者の氏名等の利用者情報を読み込む。
・  前記計量装置９で計量された循環資源Ｒの計量値を読み込む。
・  読み込まれた計量値Ｒを利用者カードＫに記録する。
・  モニタ部１０を制御することによって、利用者の氏名等の利用者情報、循環資源Ｒの計量値、並びに、後述する環境負荷、環境負荷軽減量等をモニタに表示する。
【００２６】
前記サーバ３は、演算部と、メモリを備えている。サーバ３は、前述のように、インターネット４を通じて前記循環資源回収装置６に接続されて、循環資源回収装置６から情報を送受信できるように構成されている。演算部は、所定のプログラムソフトを内蔵することによって、以下の機能を実行するように構成されている。
・  前記循環資源回収装置６から入力した循環資源Ｒの計量値に基づき、以下の式（１）によって環境負荷軽減量を演算する。ここで、環境負荷軽減量とは、当該使用済み資源が人為的な手法により、再びその製品の原材料に再利用された場合の環境負荷軽減量であり、一般的に、単位質量当たりの環境負荷軽減量、或いはその他の単位量当たりの環境負荷軽減量が参考文献で知られているので、それを用いて計算する。
例えば、３５０ｍｌ当たりの使用済みアルミ缶を、新たなアルミ缶のための再生資する場合、
持込アルミ缶の環境負荷軽減量
＝持込アルミ缶の個数×０．０３６２７（Ｋｇ―ＣＯ2）・・・（式１）
但し、循環資源の種類によっては、上記（式１）のような形ではなく、当該の循環資源を再利用するときの環境負荷と、それに代えて、例えば、バージン材を新たな原料とした場合の環境負荷量を、それぞれ以下の（式２）、（式３）のように求める。
当該循環資源を再利用する場合の環境負荷量
＝持込循環資源量×当該資源単位量使用時の環境負荷量・・（式２）
バージン材を新たな原料とした場合の環境負荷量
＝相当バージン材の量×当該バージン材単位量使用時の環境負荷量・・（式３）
・  式２によって求めた循環資源の環境負荷量と、式３によって求めたバージン材の環境負荷量との差、即ち、環境負荷軽減量を求めることもできる。ここで、バージン材の環境負荷とは、例えば、バージン材としての樹木から紙製品を製造する際やボーキサイト等からアルミ缶を製造する際に環境に与える負荷であって、樹木から紙製品を製造する際やボーキサイト等からアルミ缶を製造する際に発生する二酸化炭素が該当する。
・  前記循環資源Ｒの環境負荷量と、前記環境負荷軽減量をサーバ３のメモリに格納する。
・  又、前記循環資源Ｒの環境負荷量と、前記環境負荷軽減量をインターネット４を通じて、循環資源回収装置６に送信して、循環資源回収装置６のモニタ部１０に表示する。
・  又、前記循環資源Ｒの環境負荷量と、前記環境負荷軽減量をインターネット４を通して、循環資源回収装置６に送信して、循環資源回収装置６のカード挿入口１２に挿入されている利用者カードＫに対して、環境負荷量と、前記環境負荷軽減量を記憶する。
【００２７】
（参考文献）  政策科学研究所，環境省請負調査  平成１６年度容器包装ライフ・サイクル・アセスメントに関わる調査事業報告書
―飲料容器を対象としたＬＣＡ調査―（平成１７年３月）
【００２８】
次に作用について説明する。以下の説明では、循環資源として使用済みアルミ缶を用いた場合について説明する。利用者が、循環資源回収装置６の循環資源投入口８Ａから使用済みアルミ缶を投入すると、計量装置９が使用済みアルミ缶を計量する。使用済みアルミ缶の計量値はコントローラ部１１に送信されて、モニタ部１０に使用済みアルミ缶の計量値が表示される。又、使用済みアルミ缶の計量値は、インターネット４を通して、サーバ３に送信される。サーバ３は、式（１）によって、使用済みアルミ缶の計量値から環境負荷量を演算する。
【００２９】
又、サーバ３は、単位質量当たりの環境負荷軽減量、或いはその他の単位量当たりの環境負荷軽減量を用いて環境負荷軽減量を求める。或いは、循環資源Ｒと同じ種類、及び相当する質量のバージン材の環境負荷を求め、循環資源Ｒの環境負荷とバージン材の環境負荷との差を演算することによって、環境負荷軽減量を求める。更に、サーバ３は、この環境負荷軽減量から環境への影響、即ち、環境影響を求める。この環境影響は、各種ポイントや環境アドバテージに換算される。ここで、ポイントとは、例えば、現金に換算できるポイントが該当する。又、環境アドバンテージとは、例えば、環境税の配分や還付であったり、二酸化炭素排出権が該当する。
【００３０】
そして、サーバ３は、前記環境影響をサーバ３のメモリに記憶し、又、循環資源回収装置６に送信することで、循環資源回収装置６のカード挿入口１２に差し込まれている利用者カードＫに記憶する。前記環境税の配分、還付、及び二酸化炭素排出権は、図中のエミッションバンク機能の中に蓄積されることができる。エミッションバンク機能では、各種ポイントや環境アドバンテージを運用したり取引したりすることができる。
【００３１】
以上説明したように、循環資源Ｒの種類、計量に基づいて、環境負荷軽減量を求めることによって、資源の循環が環境に対して、どの程度の影響があるかを認識することができる。
【００３２】
又、本実施形態によれば、資源の循環が環境に対して、どの程度の影響があるかを、前述した企業、又は公的な集中管理機構Ｓの一箇所で一元的に集中し、且つ、正確に管理することができる。
【００３３】
図２は、第２実施形態を示す。この第２実施形態の特徴は、環境負荷、環境負荷軽減量、環境アドバンテージが、電子メール機能によって、サーバ３から各利用者のパソコン等の端末Ｔに送信されるようにした点にある。
【００３４】
以上の説明においては、循環資源Ｒとして使用済みアルミ缶を用いた場合について説明したが、循環資源Ｒとして、スチール缶、古紙、ペットボトル、廃プラスチック、発泡スチロール、及びバイオマス材等のようなリサイクル可能な素材にも適用できるものである。
【００３５】
尚、計量値は、式１で用いたように、個数でも良いし、別の式を用意すれば、質量や体積でも良い。
【図面の簡単な説明】
【００３６】
【図１】本実施形態に係る循環資源活用システムの全体構成を示す。（第１実施形態）
【図２】本実施形態に係る循環資源活用システムの全体構成を示す。（第２実施形態）
【符号の説明】
【００３７】
１  循環資源活用システム
２  循環資源回収装置
３  サーバ
４  インターネット
６  循環資源回収箱
７  コントローラ部
９  計量装置
Ｒ  循環資源
【図１】
2009211383.tif 000003
【図２】
2009211383.tif 000004